(57)【特許請求の範囲】
【請求項１】
羽根車における被駆動用の磁石を２種類以上の層状磁石とし、その内層側の磁石を未着磁の磁石とするとともに外層側の磁石をプラスチックマグネットからなる未着磁の磁石とし、前記層状の磁石を未着磁状態より１回で着磁することを特徴とするポンプの羽根車の製造方法。
【請求項２】
羽根車における被駆動用の磁石を２種類以上の層状磁石とし、その内層側の磁石を未着磁の磁石とするとともに外層側の磁石をプラスチックマグネットからなる未着磁の磁石とし、前記層状の磁石を未着磁状態より２回以上着磁することを特徴とするポンプの羽根車の製造方法。
【請求項３】
羽根車における被駆動用の磁石を２種類以上の層状磁石とし、前記層状磁石をあらかじめ着磁した強磁石と未着磁の磁石より構成し、前記強磁石の磁界により前記未着磁の磁石を着磁することを特徴とするポンプの羽根車の製造方法。
【請求項４】
請求項１〜３のいずれかに記載のポンプの羽根車の製造方法で着磁した２種類以上の層状磁石を羽根車における被駆動用の磁石として備えたことを特徴とするポンプの羽根車。
【発明の詳細な説明】
【０００１】
【発明の属する技術分野】
本発明は、被駆動用の磁石を有するポンプの羽根車およびその製造方法に関する。
【０００２】
【従来の技術】
近年、特に機器組込み用のポンプは、機器の小型・軽量化の流れの中、羽根車の回転数を高速化することによって小型化が図られている。従来この種のポンプは、羽根車における被駆動用磁石にネオジ磁石に代表される希土類の強磁石を採用し、羽根車の回転数を高速化することが一般的であった。
【０００３】
以下に、図５を参照して従来のポンプについて説明する。図５は従来のポンプの概略断面図である。
【０００４】
このポンプは、羽根車１を備えており、この羽根車１は、被駆動用の磁石４を樹脂層で覆って一体に有している。
【０００５】
図中の２は羽根車１の中心を挿通する固定軸、３は羽根車１に一体に構成されたすべり軸受け、５は羽根車１を収納するケーシング、６は羽根車１のスラスト荷重を受けるスラスト軸受け、７はケーシング５の外周部に構成されたステーター、８は羽根車１より送水された流体を案内するボリュートケーシング、９は吸込口、１０は吐水口である。
【０００６】
上記構成のポンプは、ステーター７に羽根車駆動のために制御電流が印加されると、その磁界および被駆動用の磁石４により羽根車１は駆動されて回転し、羽根車１の通水路に構成された羽根１ａの回転により、満たされていた流体は、吸込口９より羽根車１、ボリュートケーシング８を介して吐水口１０へ送水される仕組みである。そして、羽根車１の被駆動用磁石４にネオジ磁石等の希土類の強磁石を採用してポンプ効率の向上を図っていた。
【０００７】
【発明が解決しようとする課題】
しかしながら、以上のように構成された従来のポンプにおいては、ネオジ磁石に代表される希土類の強磁石が腐食しやすいという欠点を有するため、腐食防止のために羽根車における被駆動用の磁石の外周部を腐食しない樹脂層で覆っており、ステーターと被駆動用の磁石間の距離がはなれてしまうという課題を有していた。
【０００８】
また、この課題を改善するために、被駆動用の磁石の外周を腐食しない層でコーティングまたはメッキする構造とした羽根車もあるが、羽根車が高速で回転しているので、前記コーティングまたはメッキ層が時間の経過とともに剥がれて腐食するという課題があった。
【０００９】
本発明は前記従来の課題に留意し、被駆動用の磁石にネオジ磁石に代表される希土類の強磁石を採用してもその外側層が腐食しなく、ステーターと被駆動用の磁石間の距離を小さくでき、そして効率のよいポンプを提供することを目的とする。
【００１０】
【課題を解決するための手段】
前記目的を達成するために本発明は、ポンプの羽根車における被駆動用の磁石を２種類以上の層状磁石により構成し、かつ、層状磁石の外側層をフェライト磁石に代表される腐食しない磁石を用いた構成とした高効率ポンプ用の羽根車の製造方法である。
【００１１】
本発明によれば、被駆動用の磁石にネオジ磁石に代表される希土類の強磁石を採用しても、その外側層が腐食しない磁石のため磁力が強力で、しかもステーターと被駆動用の磁石間の距離を小さくでき、ポンプ効率を向上したポンプを提供することが可能となる。
【００１２】
【発明の実施の形態】
本発明の請求項１に記載された発明は、羽根車における被駆動用の磁石を２種類以上の層状磁石とし、その内層側の磁石を未着磁の磁石とするとともに外層側の磁石をプラスチックマグネットからなる未着磁の磁石とし、層状の磁石を未着磁状態より１回で着磁するポンプの羽根車の製造方法であり、着磁回数が１回であるので高効率用ポンプの羽根車の製造が簡易となるという作用を有する。
【００１３】
本発明の請求項２に記載された発明は、羽根車における被駆動用の磁石を２種類以上の層状磁石とし、その内層側の磁石を未着磁の磁石とするとともに外層側の磁石をプラスチックマグネットからなる未着磁の磁石とし、層状の磁石を未着磁状態より２回以上着磁するポンプの羽根車の製造方法であり、着磁回数が２回以上であるので磁石の特性を最大限に発揮する強力な磁石とすることが可能となり、また、高効率用ポンプの羽根車の製造が簡易となるという作用を有する。
【００１４】
本発明の請求項３に記載された発明は、羽根車における被駆動用の磁石を２種類以上の層状磁石とし、層状磁石をあらかじめ着磁した強磁石と未着磁の磁石より構成し、強磁石の磁界により未着磁の磁石を着磁するポンプの羽根車の製造方法であり、被駆動用磁石の磁力を強力にし、また、高効率用ポンプの羽根車の製造が簡易となるという作用を有する。
【００１５】
本発明の請求項４に記載された発明は、請求項１〜３のいずれかに記載のポンプの羽根車の製造方法で着磁した２種類以上の層状磁石を羽根車における被駆動用の磁石として備えたものであり、被駆動用磁石の磁力が強力で、かつ、ステーターと被駆動用の磁石間の距離を小さくすることが可能となり、ポンプを高効率にするという作用を有する。
【００１６】
以下、本発明の基本構成及び実施の形態について図面を参照して説明する。
【００１７】
（基本構成）
図１は、本発明の基本構成のポンプの概略断面図である。
【００１８】
図１において、１０１は羽根車であり、この羽根車１０１はそのシュラウドがフェライト系に代表される腐食しないプラスチックマグネットで構成されており、そして、このシュラウドに被駆動用の磁石１０４を備えている。この被駆動用の磁石１０４は２種類以上の層状磁石で構成され、その外周部が羽根車１０１のプラチックマグネット層１０１ａで覆われて羽根車１と一体化された構成となっている。
【００１９】
図中の２は羽根車１の中心を挿通する固定軸、３は羽根車１と一体に構成されたすべり軸受け、５は羽根車１を収納するケーシング、６は羽根車１のスラスト荷重を受けるスラスト軸受け、７はケーシング５の外周部に構成されたステーター、８は羽根車１より送水された流体を案内するボリュートケーシング、９は吸込口、１０は吐水口である。
【００２０】
なお、従来の技術の説明で用いた符号およびポンプの動作原理は基本的に従来の技術と同一であるため、詳細な説明は従来の技術により省略する。
【００２１】
以上のように構成された本発明の基本構成のポンプにおいて、被駆動用の磁石１０４は２種類以上の層状磁石で構成し、その外側層を腐食しないプラスチックマグネットにて覆って羽根車と一体成形した構成としているので、被駆動用の磁石１０４の磁力が強力で、被駆動用の磁石１０４を覆う羽根車１０１のプラスチックマグネット層１０１ａも被駆動用磁石となるため、ステーター７とプラスチックマグネット層１０１ａとの距離を小さくすることが可能となり、高効率のポンプとすることができる。
【００２２】
（実施の形態１）
図２は、本発明の実施の形態１のポンプの概略断面図である。
【００２３】
この本発明の実施の形態１のポンプの特徴は、図２に示すように２種類以上の層状磁石より構成された被駆動用磁石２０４を、内側層の未着磁状態の磁石２０４ａと外側層の腐食しない未着磁状態の磁石２０４ｂで一体成形して構成し、１回で着磁したことにある。
【００２４】
前記のように内側層の未着磁状態の磁石２０４ａと外側層の腐食しない未着磁状態の磁石２０４ｂで構成された被駆動用磁石２０４を、未着磁状態より１回で着磁することにより、被駆動用磁石２０４の磁力が強力で、かつ、ステーターと被駆動用の磁石２０４間の距離を小さくすることが可能となり、また、着磁回数が１回であることから安価な高効率ポンプを提供することができる。
【００２５】
（実施の形態２）
図３は、本発明の実施の形態２のポンプの概略断面図である。
【００２６】
この本発明の実施の形態２のポンプの特徴は、図３に示すように２種類以上の層状磁石より構成された被駆動用磁石３０４を、内側層の未着磁状態の磁石３０４ａと外側層の腐食しない未着磁状態の磁石３０４ｂで一体成形して構成し、未着磁状態より２回以上着磁したことにある。
【００２７】
前記のように内側層の未着磁状態の磁石３０４ａと外側層の腐食しない未着磁状態の磁石３０４ｂで構成された被駆動用磁石３０４を、未着磁状態より２回で着磁することにより、被駆動用磁石３０４の磁力が強力で、かつ、ステーターと被駆動用の磁石３０４間の距離を小さくすることが可能となり、また、着磁回数が２回以上であることから、磁石の特性を最大限に発揮する強力な磁石とすることが可能となり、高効率ポンプを提供することができる。
【００２８】
（実施の形態３）
図４は、本発明の実施の形態３のポンプの概略断面図である。
【００２９】
この本発明の実施の形態３のポンプの特徴は、図４に示すように２種類以上の層状磁石より構成された被駆動用磁石４０４を、あらかじめ着磁した強磁石４０４ａと未着磁状態の磁石４０４ｂを一体成形して構成し、そして強磁石４０４ａの磁界により未着磁の磁石４０４ｂを着磁することにあり、被駆動用磁石４０４の磁力が強力で、かつ、ステーターと被駆動用の磁石４０４間の距離を小さくすることが可能となり、また、強磁石の磁界により未着磁の磁石を着磁するので安価な高効率ポンプを提供することができる。
【００３０】
【発明の効果】
以上の説明より明らかなように、本発明はポンプの羽根車における被駆動用の磁石を２種類以上の層状磁石により構成し、上記層状の磁石を未着磁状態より１回で着磁あるいは２回以上着磁し、あるいは、あらかじめ着磁した強磁石と未着磁状態の磁石より構成し、強磁石の磁界により未着磁の磁石を着磁する製造方法であることから、磁石の特性を最大限に発揮する強力な高効率ポンプあるいは安価な高効率ポンプを提供することができる。そして、前記層状の磁石の外側層をフェライト磁石に代表されるプラスチックマグネットからなる磁石とするので、被駆動用の磁石にネオジ磁石に代表される希土類の強磁石を採用しても、その外側層が腐食しない磁石のため、磁力が強力で、かつ、ステーターと被駆動用の磁石間の距離を小さくでき、高効率のポンプを提供することができる。
【図面の簡単な説明】
【図１】  本発明の基本構成のポンプの概略断面図
【図２】  本発明の実施の形態１のポンプの概略断面図
【図３】  本発明の実施の形態２のポンプの概略断面図
【図４】  本発明の実施の形態３のポンプの概略断面図
【図５】  従来のポンプの概略断面図
【符号の説明】
２  固定軸
３  すべり軸受け
５  ケーシング
６  スラスト軸受け
７  ステーター
８  ボリュートケーシング
９  吸込口
１０  吐水口
１０１  羽根車
１０１ａ  プラスチックマグネット層
１０４，２０４，３０４，４０４  被駆動用の磁石
２０４ａ，３０４ａ，４０４ａ  内側層の磁石
２０４ｂ，３０４ｂ，４０４ｂ  外側層の磁石
【図１】
0004479085.tif 000002
【図２】
0004479085.tif 000003
【図３】
0004479085.tif 000004
【図４】
0004479085.tif 000005
【図５】
0004479085.tif 000006